(57)【特許請求の範囲】
【請求項１】
一方向に配列された複数の蓄電装置を有する蓄電装置群と、
前記蓄電装置群の両側に配置され、前記複数の蓄電装置を前記蓄電装置の配列方向に拘束する１対の拘束部材と、
前記蓄電装置群の上方に配置されると共に、前記１対の拘束部材に固定されるカバーと、
前記蓄電装置の上面に載置され、前記蓄電装置の温度を検出する温度センサとを備え、
前記１対の拘束部材の何れか一方側には、前記蓄電装置の膨張を吸収する膨張吸収部が配置され、
前記膨張吸収部の前記配列方向の寸法は、前記蓄電装置の前記配列方向の寸法よりも小さく、
前記複数の蓄電装置の合計許容膨張量は、前記膨張吸収部の前記配列方向の寸法以下であり、
前記カバーには、前記温度センサを前記蓄電装置に対して押さえる押さえ部が組み付けられ、
前記温度センサにおける前記膨張吸収部の反対側の端から前記押さえ部までの距離は、前記温度センサが載置された前記蓄電装置が前記複数の蓄電装置の膨張によって前記膨張吸収部側に移動する量よりも長いことを特徴とする蓄電装置モジュール。
【請求項２】
前記温度センサは、少なくとも２つの前記蓄電装置の上面に載置されており、
前記温度センサにおける前記膨張吸収部の反対側の端から前記押さえ部までの距離は、前記膨張吸収部に近い前記温度センサほど長くなっていることを特徴とする請求項１記載の蓄電装置モジュール。
【請求項３】
一方向に配列された複数の蓄電装置を有する蓄電装置群と、
前記蓄電装置群の両側に配置され、前記複数の蓄電装置を前記蓄電装置の配列方向に拘束する１対の拘束部材と、
前記蓄電装置群の上方に配置されると共に、前記１対の拘束部材に固定されるカバーと、
前記蓄電装置の上面に載置され、前記蓄電装置の温度を検出する温度センサとを備え、
前記１対の拘束部材の何れか一方側には、前記蓄電装置の膨張を吸収する膨張吸収部が配置され、
前記膨張吸収部の前記配列方向の寸法は、前記蓄電装置の前記配列方向の寸法よりも小さく、
前記複数の蓄電装置の合計許容膨張量は、前記膨張吸収部の前記配列方向の寸法以下であり、
前記カバーには、前記温度センサを前記蓄電装置に対して押さえる押さえ部が組み付けられ、
前記押さえ部は、前記温度センサの中心に対して前記膨張吸収部側にずれて配置されていることを特徴とする蓄電装置モジュール。
【請求項４】
前記温度センサにおける前記膨張吸収部の反対側の端から前記押さえ部までの距離は、前記温度センサが載置された前記蓄電装置が前記複数の蓄電装置の膨張によって前記膨張吸収部側に移動する量よりも長いことを特徴とする請求項３記載の蓄電装置モジュール。
【請求項５】
前記カバーの下面には突起が設けられており、
前記押さえ部は、前記突起を取り囲むように前記カバーに組み付けられるバネであることを特徴とする請求項１〜４の何れか一項記載の蓄電装置モジュール。
【請求項６】
前記突起の基端部には、前記バネの一端部が引っ掛かる張出部が設けられていることを特徴とする請求項５記載の蓄電装置モジュール。
【発明の詳細な説明】
【技術分野】
【０００１】
本発明は、蓄電装置モジュールに関する。
【背景技術】
【０００２】
従来の蓄電装置モジュールとしては、例えば特許文献１，２に記載されている技術が知られている。特許文献１に記載の蓄電装置モジュールは、複数の角形電池を絶縁性のセパレータを介して積層して構成された電池積層体と、電池積層体を両端面から挟持する１対のエンドプレートと、電池積層体の側面を締結するようにエンドプレートに固定されたバインドバーと、電池積層体を覆う外装上ケースとを備えている。特許文献２に記載の蓄電装置モジュールは、電池とこの電池を保持する電池ホルダとを有する積層体と、積層体の両側に配置された１対のエンドプレートと、積層体と一方のエンドプレートとの間に配置され、積層方向に弾性を有する弾性部材とを備えている。また、特許文献３には、複数のバッテリと、これらのバッテリを収容する箱体と、箱体の蓋体に取り付けられ、バッテリの温度を検出するサーミスタ温度計とを備えた電源装置が開示されている。
【先行技術文献】
【特許文献】
【０００３】
【特許文献１】特開２０１２−２４３５３４号公報
【特許文献２】特開２００９−８１０５６号公報
【特許文献３】特開２００６−１８６０４５号公報
【発明の概要】
【発明が解決しようとする課題】
【０００４】
蓄電装置モジュールにおいては、蓄電装置である電池の上面にサーミスタ温度計等の温度センサを載置することがある。このとき、温度センサにより電池の温度を正確に検知するためには、外装上ケース等のカバーに組み付けられる押さえ部によって温度センサを電池に対して押さえることが望ましい。しかし、このような構成では、以下の不具合が発生する。
【０００５】
即ち、電池の劣化等により電池が膨張する。このとき、電池積層体と一方のエンドプレートとの間に弾性部材が配置されていると、電池の膨張に追従して電池が弾性部材側に移動する。これに伴い、電池の上面に載置された温度センサも弾性部材側に移動する。ところが、カバーが１対のエンドプレートに固定されていると、カバーが電池の膨張に追従して弾性部材側に移動することはない。従って、電池が膨張すると、温度センサが押さえ部の位置からずれてしまい、押さえ部により温度センサを電池に対して押さえることができなくなる事がある。この場合には、電池の温度を正確に検知することが困難になる。また、温度センサが電池の上面から離れてしまうおそれがある。
【０００６】
本発明の目的は、蓄電装置が膨張しても、温度センサを蓄電装置に対して押さえることができる蓄電装置モジュールを提供することである。
【課題を解決するための手段】
【０００７】
本発明の一側面に係る蓄電装置モジュールは、一方向に配列された複数の蓄電装置を有する蓄電装置群と、蓄電装置群の両側に配置され、複数の蓄電装置を蓄電装置の配列方向に拘束する１対の拘束部材と、蓄電装置群の上方に配置されると共に、１対の拘束部材に固定されるカバーと、蓄電装置の上面に載置され、蓄電装置の温度を検出する温度センサとを備え、１対の拘束部材の何れか一方側には、蓄電装置の膨張を吸収する膨張吸収部が配置され、カバーには、温度センサを蓄電装置に対して押さえる押さえ部が組み付けられ、温度センサにおける膨張吸収部の反対側の端から押さえ部までの距離は、温度センサが載置された蓄電装置が複数の蓄電装置の膨張によって膨張吸収部側に移動する量よりも長いことを特徴とする。
【０００８】
このような蓄電装置モジュールにおいては、複数の蓄電装置が膨張すると、蓄電装置が膨張吸収部側に移動する。これに伴い、蓄電装置の上面に載置された温度センサも膨張吸収部側に移動する。一方、カバーは１対の拘束部材に固定されているため、カバーに組み付けられる押さえ部は膨張吸収部側に移動することはない。本発明では、温度センサにおける膨張吸収部の反対側の端から押さえ部までの距離は、温度センサが載置された蓄電装置が複数の蓄電装置の膨張によって膨張吸収部側に移動する量よりも長い。従って、蓄電装置の膨張により温度センサが膨張吸収部側に移動しても、温度センサが押さえ部により蓄電装置に対して押さえられた状態に維持される。
【０００９】
温度センサは、少なくとも２つの蓄電装置の上面に載置されており、温度センサにおける膨張吸収部の反対側の端から押さえ部までの距離は、膨張吸収部に近い温度センサほど長くなっていてもよい。複数の蓄電装置が膨張すると、蓄電装置が膨張吸収部側に移動するが、膨張吸収部に近い蓄電装置ほど膨張吸収部側に移動する量が大きくなる。そこで、温度センサにおける膨張吸収部の反対側の端から押さえ部までの距離を、膨張吸収部に近い温度センサほど長くすることにより、蓄電装置の膨張により各温度センサが膨張吸収部側に移動しても、各温度センサが押さえ部により蓄電装置に対して確実に押さえられた状態に維持される。
【００１０】
本発明の他の側面に係る蓄電装置モジュールは、一方向に配列された複数の蓄電装置を有する蓄電装置群と、蓄電装置群の両側に配置され、複数の蓄電装置を蓄電装置の配列方向に拘束する１対の拘束部材と、蓄電装置群の上方に配置されると共に、１対の拘束部材に固定されるカバーと、蓄電装置の上面に載置され、蓄電装置の温度を検出する温度センサとを備え、１対の拘束部材の何れか一方側には、蓄電装置の膨張を吸収する膨張吸収部が配置され、カバーには、温度センサを蓄電装置に対して押さえる押さえ部が組み付けられ、押さえ部は、温度センサの中心に対して膨張吸収部側にずれて配置されていることを特徴とする。
【００１１】
このような蓄電装置モジュールにおいては、複数の蓄電装置が膨張すると、蓄電装置が膨張吸収部側に移動する。これに伴い、蓄電装置の上面に載置された温度センサも膨張吸収部側に移動する。一方、カバーは１対の拘束部材に固定されているため、カバーに組み付けられる押さえ部は膨張吸収部側に移動することはない。本発明では、押さえ部は、温度センサの中心に対して膨張吸収部側にずれて配置されている。このため、温度センサにおける膨張吸収部の反対側の端から押さえ部までの距離が長くなる。従って、蓄電装置の膨張により温度センサが膨張吸収部側に移動しても、押さえ部により温度センサを蓄電装置に対して押さえることができる。
【００１２】
温度センサにおける膨張吸収部の反対側の端から押さえ部までの距離は、温度センサが載置された蓄電装置が複数の蓄電装置の膨張によって膨張吸収部側に移動する量よりも長くてもよい。この場合には、蓄電装置の膨張により温度センサが膨張吸収部側に移動しても、温度センサが押さえ部により蓄電装置に対して確実に押さえられた状態に維持される。
【００１３】
カバーの下面には突起が設けられており、押さえ部は、突起を取り囲むようにカバーに組み付けられるバネであってもよい。この場合には、蓄電装置の膨張により温度センサが膨張吸収部側に移動する際に、バネが突起に当たるため、バネが折れることが防止される。
【００１４】
突起の基端部には、バネの一端部が引っ掛かる張出部が設けられていてもよい。この場合には、バネの一端部が突起の張出部に引っ掛かるため、バネがカバーから外れにくくなる。
【発明の効果】
【００１５】
本発明によれば、蓄電装置が膨張しても、温度センサを蓄電装置に対して押さえることができる蓄電装置モジュールが提供される。
【図面の簡単な説明】
【００１６】
【図１】一実施形態に係る蓄電装置モジュールとして電池モジュールを示す分解斜視図である。
【図２】図１に示された電池モジュールにおけるバスバーカバーを除いた部分の上視平面図である。
【図３】図１に示された電池ユニット及びバスバーカバーを示す側面図である。
【図４】図３の部分拡大図である。
【図５】二次電池の膨張前（初期状態）におけるサーミスタに対するバネの位置を示す概略図である。
【図６】小型のサーミスタを使用した場合に、二次電池の膨張によりサーミスタがバネに対して移動する様子を示す概略図である。
【図７】図５に示されたサーミスタを使用した場合に、二次電池の膨張によりサーミスタがバネに対して移動する様子を示す概略図である。
【図８】他の実施形態に係る蓄電装置モジュールとしての電池モジュールにおいて、二次電池の膨張によりサーミスタがバネに対して移動する様子を示す概略図である。
【図９】更に他の実施形態に係る蓄電装置モジュールとしての電池モジュールにおいて、電池ユニット及びバスバーカバーを示す側面拡大図である。
【発明を実施するための形態】
【００１７】
以下、本発明の実施形態について、図面を参照して詳細に説明する。なお、図面において、同一または同等の要素には同じ符号を付し、重複する説明を省略する。
【００１８】
図１は、一実施形態に係る蓄電装置モジュールとして電池モジュールを示す分解斜視図である。図２は、図１に示された電池モジュールの一部の上視平面図である。図１及び図２において、電池モジュール１は、複数（ここでは７つ）の電池ユニット２から構成される電池ユニット群３（蓄電装置ユニット群）と、この電池ユニット群３の両側に配置された１対の断面Ｌ字形のエンドプレート４とを備えている。電池モジュール１は、図示しない壁にエンドプレート４を介して片持ち支持されるように取り付けられる。
【００１９】
電池ユニット２は、図３にも示されるように、一方向に配列された二次電池５（蓄電装置）と、この二次電池５を保持する電池ホルダ６とを有している。本実施形態では、二次電池５はリチウムイオン二次電池である。二次電池５は、直方体状を呈している。二次電池５は、特に図示はしないが、電極組立体と、この電極組立体を収容するケースとを有している。ケース内には、電解質が充填されている。なお、複数の二次電池５は、二次電池群５Ｇ（蓄電装置群）を構成している。
【００２０】
二次電池５の上部には、正極端子７及び負極端子８が設けられている。隣り合う２つの二次電池５は、正極端子７及び負極端子８が互いに逆向きとなるように配置されている。そして、隣り合う２つの二次電池５の正極端子７及び負極端子８同士がバスバー９を介して接続されている。
【００２１】
電池ホルダ６は、樹脂からなっている。電池ホルダ６は、二次電池５を取り囲むように収容する枠体部１０を有している。枠体部１０の上部には、後述するボルト１４のネジ部１４ａが挿通されるボルト挿通孔１１ａを有する２つのボルトガイド部１１が設けられている。枠体部１０の下部には、ボルト１４のネジ部１４ａが挿通されるボルト挿通孔１２ａを有する２つのボルトガイド部１２が設けられている。一方のボルトガイド部１１における他方のボルトガイド部１１と対向する側の面には、断面Ｌ字形の壁部１３が突設されている。
【００２２】
エンドプレート４は、複数の電池ユニット２の二次電池５を４組のボルト１４及びナット１５により二次電池５の配列方向に両側から拘束する拘束部材である。エンドプレート４は、剛性の高い金属（例えば鉄）からなっている。エンドプレート４には、図示しない取付用ボルトが通る複数の孔部４ａが形成されている。
【００２３】
一方のエンドプレート４と電池ユニット群３を構成する複数の電池ユニット２のうち一端側に位置する電池ユニット２との間には、ゴム部材１６及び中間板１７が電池ユニット２の配列方向に並ぶように配置されている。ゴム部材１６は、エンドプレート４に隣接して配置されている。中間板１７は、電池ユニット２に隣接して配置されている。ゴム部材１６は、中間板１７に固定されている。
【００２４】
ゴム部材１６は、二次電池５の膨張を吸収する弾性部材（膨張吸収部）である。ゴム部材１６は、平面視矩形の平板状を呈している。ゴム部材１６は、二次電池５に対応する高さ位置に配置されている。
【００２５】
電池モジュール１は、二次電池５の温度を検出する複数（ここでは２つ）のサーミスタ１８（温度センサ）を備えている。これらのサーミスタ１８は、複数の二次電池５のうちゴム部材１６の反対側から３つ目の二次電池５Ａ及びゴム部材１６側から３つ目の二次電池５Ｂの上面に載置されている。サーミスタ１８は、例えば二次電池５Ａ，５Ｂの上面に両面テープで貼り付けられている。サーミスタ１８は、電池ホルダ６に設けられたボルトガイド部１１及び壁部１３により形成される空間に収容されている。
【００２６】
サーミスタ１８は、特に図示はしないが、温度に応じて電気抵抗が変化するサーミスタ素子と、このサーミスタ素子を収容するサーミスタケースとを有している。このため、サーミスタケースの寸法を変えることにより、サーミスタ１８の寸法を変えることが可能となる。サーミスタ素子には、信号線１９が接続されている。信号線１９は、接続端子２０を介してコントローラ（図示せず）と接続されている。サーミスタ１８の検出信号は、信号線１９及び接続端子２０を介してコントローラに送られる。
【００２７】
電池ユニット群３の上方には、バスバーカバー２１が電池ユニット群３、ゴム部材１６及び中間板１７を覆うように配置されている。バスバーカバー２１は、１対のエンドプレート４に固定されている。なお、図１、図３及び図４では、バスバーカバー２１は概略的に示されている。
【００２８】
図４及び図５に示されるように、バスバーカバー２１の下面には、２つの円柱状の突起２２が設けられている。バスバーカバー２１には、サーミスタ１８を二次電池５Ａ，５Ｂに対して押さえる２つのバネ２３（押さえ部）が突起２２を取り囲むように組み付けられる。突起２２は、サーミスタ１８の手前まで延びている。バネ２３は、サーミスタ１８側に付勢し、サーミスタ１８を上から押さえ付ける。バネ２３の一端部はバスバーカバー２１の下面に接触し、バネ２３の他端部はサーミスタ１８の上面に接触している。
【００２９】
電池モジュール１では、二次電池５の充放電の繰り返し又は二次電池５の劣化に伴って二次電池５が膨張する。電池ユニット群３の一方側はエンドプレート４に直接固定されているが、電池ユニット群３の他方側はゴム部材１６を介してエンドプレート４に固定されている。このため、二次電池５が膨張すると、当該二次電池５よりもゴム部材１６側に位置する二次電池５がゴム部材１６側に移動し、ゴム部材１６が潰れる。つまり、各二次電池５は、ゴム部材１６側に膨張移動することになる。このとき、各二次電池５の膨張量はほぼ等しい。このため、ゴム部材１６に近い二次電池５ほど、ゴム部材１６側への移動量が大きくなる。従って、二次電池５Ｂの移動量は、二次電池５Ａの移動量よりも大きい。なお、二次電池５の膨張量は、電極組立体（前述）を構成する正極シート及び負極シートの材料、電解質の材料、ケース（前述）の材料及び寸法等で決まる。また、二次電池５が許容できる最大膨張量は、ゴム部材１６で決まる。
【００３０】
突起２２は、二次電池５の膨張前（初期状態）において、二次電池５Ａ，５Ｂの上面に載置されたサーミスタ１８の中央部分に対応する位置に配置されている。バネ２３は、二次電池５の初期状態において、サーミスタ１８の中央部分を二次電池５Ａ，５Ｂに対して押さえる。
【００３１】
二次電池５の初期状態において、サーミスタ１８におけるゴム部材１６の反対側の端からバネ２３までの距離Ａは、サーミスタ１８が載置された二次電池５Ａ，５Ｂが各二次電池５の膨張によってゴム部材１６側に移動する量よりも長くなっている。そのようなサーミスタ１８は、サーミスタケース（前述）の長さ寸法を大きくすることで対応可能である。なお、各二次電池５の膨張による二次電池５Ａ，５Ｂの移動量は、予め実験により測定してもよいし、或いは二次電池５の膨張量から計算により求めることができる。
【００３２】
上述したように、二次電池５Ｂは二次電池５Ａよりもゴム部材１６に近いため、二次電池５Ｂの移動量は二次電池５Ａの移動量よりも大きい。このため、二次電池５Ｂの上面に載置されたサーミスタ１８におけるゴム部材１６の反対側の端からバネ２３までの距離Ａ２は、二次電池５Ａの上面に載置されたサーミスタ１８におけるゴム部材１６の反対側の端からバネ２３までの距離Ａ１よりも長くなっている。つまり、サーミスタ１８におけるゴム部材１６の反対側の端からバネ２３までの距離Ａは、ゴム部材１６に近いサーミスタ１８ほど長くなっている。
【００３３】
ところで、上述したように、各二次電池５が膨張すると、二次電池５がゴム部材１６側に移動する。このため、二次電池５Ａ，５Ｂの上面に載置されたサーミスタ１８もゴム部材１６側に移動する。一方、バスバーカバー２１は１対のエンドプレート４に固定されているため、バスバーカバー２１の下面に設けられた突起２２及びバネ２３が二次電池５の膨張に追従してゴム部材１６側に移動することはない。
【００３４】
従って、図６に示されるように、小型のサーミスタ１８を使用する場合には、以下の不具合が発生する。即ち、各二次電池５の膨張により各二次電池５がゴム部材１６側に移動すると、ゴム部材１６が縮みきった状態となる。このとき、サーミスタ１８におけるゴム部材１６の反対側の端からバネ２３までの距離Ａが短いため、各二次電池５の膨張により二次電池５Ａ，５Ｂがゴム部材１６側に移動すると、バネ２３がサーミスタ１８から離れてしまい、サーミスタ１８がバネ２３により二次電池５Ａ，５Ｂに対して押さえられない状態となる。このため、サーミスタ１８により二次電池５Ａ，５Ｂの正確な温度検知を行うことが困難になる。また、サーミスタ１８が二次電池５Ａ，５Ｂの上面から離れてしまうおそれがある。
【００３５】
これに対して本実施形態では、サーミスタ１８におけるゴム部材１６の反対側の端からバネ２３までの距離Ａは、サーミスタ１８が載置された二次電池５Ａ，５Ｂが各二次電池５の膨張によってゴム部材１６側に移動する量よりも長い。このため、図７に示されるように、各二次電池５の膨張に追従してサーミスタ１８がゴム部材１６側に移動しても、ゴム部材１６が縮みきった状態において、サーミスタ１８がバネ２３により二次電池５Ａ，５Ｂに対して押さえられた状態に維持される。これにより、二次電池５Ａ，５Ｂの膨張後においても、サーミスタ１８による二次電池５Ａ，５Ｂの温度検知を正確に行うことができる。また、サーミスタ１８が二次電池５Ａ，５Ｂの上面から離れてしまうことを防止できる。
【００３６】
また、サーミスタ１８におけるゴム部材１６の反対側の端からバネ２３までの距離Ａは、ゴム部材１６に近いサーミスタ１８ほど長くなっている。従って、二次電池５Ａ，５Ｂの膨張に追従して２つのサーミスタ１８がゴム部材１６側に移動しても、ゴム部材１６が縮みきった状態において、各サーミスタ１８がバネ２３により二次電池５Ａ，５Ｂに対して確実に押さえられた状態に維持される。
【００３７】
また、バスバーカバー２１の下面には突起２２が設けられ、バスバーカバー２１には、サーミスタ１８を二次電池５Ａ，５Ｂに対して押さえるバネ２３が突起２２を取り囲むように組み付けられる。従って、各二次電池５の膨張に追従してサーミスタ１８がゴム部材１６側に移動する際に、バネ２３が曲がるが、バネ２３が突起２２に当たって支持されるため、バネ２３が折れることを防止できる。
【００３８】
図８は、他の実施形態に係る蓄電装置モジュールとしての電池モジュールにおいて、二次電池の膨張によりサーミスタがバネに対して移動する様子を示す概略図であり、図５に対応する図である。
【００３９】
図８において、サーミスタ１８の長さ寸法は、図５に示されるサーミスタ１８の長さ寸法よりも小さくなっている。なお、サーミスタ１８の長さ寸法は、サーミスタ１８における二次電池５の配列方向に沿った寸法のことである。
【００４０】
バスバーカバー２１の下面に設けられた突起２２及びバネ２３は、二次電池５の膨張前（初期状態）において、二次電池５Ａ，５Ｂの上面に載置されたサーミスタ１８の中心Ｇに対してゴム部材１６側にずれて配置されている。つまり、バネ２３は、サーミスタ１８における中心Ｇに対してゴム部材１６側にずれた部位を二次電池５Ａ，５Ｂに対して押さえる。具体的には、バネ２３は、サーミスタ１８におけるゴム部材１６側の端部を二次電池５Ａ，５Ｂに対して押さえる。
【００４１】
サーミスタ１８におけるゴム部材１６の反対側の端からバネ２３までの距離Ａは、サーミスタ１８が載置された二次電池５Ａ，５Ｂが各二次電池５の膨張によってゴム部材１６側に移動する量よりも長くなっている。このとき、二次電池５Ｂの上面に載置されたサーミスタ１８におけるゴム部材１６の反対側の端からバネ２３までの距離Ａは、二次電池５Ａの上面に載置されたサーミスタ１８におけるゴム部材１６の反対側の端からバネ２３までの距離Ａよりも長くなっている。
【００４２】
このように本実施形態においては、バネ２３は、サーミスタ１８の中心Ｇに対してゴム部材１６側にずれて配置されている。このため、サーミスタ１８におけるゴム部材１６の反対側の端からバネ２３までの距離が長くなる。従って、各二次電池５の膨張に追従してサーミスタ１８がゴム部材１６側に移動しても、ゴム部材１６が縮みきった状態において、バネ２３によりサーミスタ１８を二次電池５Ａ，５Ｂに対して押さえることができる。これにより、二次電池５Ａ，５Ｂの膨張後においても、サーミスタ１８による二次電池５Ａ，５Ｂの温度検知を正確に行うことができる。また、サーミスタ１８が二次電池５Ａ，５Ｂの上面から離れてしまうことを防止できる。
【００４３】
また、サーミスタ１８におけるゴム部材１６の反対側の端からバネ２３までの距離Ａは、サーミスタ１８が載置された二次電池５Ａ，５Ｂが各二次電池５の膨張によってゴム部材１６側に移動する量よりも長い。従って、各二次電池５の膨張に追従してサーミスタ１８がゴム部材１６側に移動しても、ゴム部材１６が縮みきった状態において、サーミスタ１８がバネ２３により二次電池５Ａ，５Ｂに対して確実に押さえられた状態に維持される。
【００４４】
さらに、バネ２３をサーミスタ１８の中心Ｇに対してゴム部材１６側にずれた位置に配置することにより、長さ寸法が小さいサーミスタ１８を使用することができる。
【００４５】
図９は、更に他の実施形態に係る蓄電装置モジュールとしての電池モジュールにおいて、電池ユニット及びバスバーカバーを示す側面拡大図であり、図４に対応する図である。
【００４６】
図９において、バスバーカバー２１の下面から突出した突起２２の基端部には、バネ２３の一端部が引っ掛かる張出部２２ｂが設けられている。張出部２２ｂは、断面円形状を呈している。つまり、突起２２は、円柱状の本体部２２ａと、この本体部２２ａよりも径が大きい張出部２２ｂとを有している。本体部２２ａは、サーミスタ１８の手前まで延びている。本体部２２ａの軸方向長さは、張出部２２ｂの軸方向長さに比べて十分大きい。
【００４７】
本実施形態では、突起２２の基端部に設けられた張出部２２ｂにバネ２３の一端部が引っ掛かるため、バネ２３がバスバーカバー２１から外れにくくなる。従って、バネ２３をバスバーカバー２１に組み付ける際に、バネ２３の落下を防止することができる。また、本体部２２ａが張出部２２ｂよりも長くなっていることにより、上述したように各二次電池５の膨張に追従してサーミスタ１８がゴム部材１６側に移動する際に、バネ２３が本体部２２ａに当たって支持されるため、バネ２３が折れることを防止できる。
【００４８】
なお、張出部２２ｂの形状としては、特に断面円形状には限られず、断面角形状等であってもよい。また、張出部２２ｂは、バスバーカバー２１の下面から突起２２の延在方向中央付近まで延びていてもよい。また、張出部２２ｂは、突起２２の基端部ではなく、バスバーカバー２１の下面から離れた本体部２２ａの途中の部位に設けられていてもよい。
【００４９】
以上、本発明の実施形態について説明してきたが、本発明は上記実施形態には限定されない。例えば上記実施形態では、サーミスタ１８におけるゴム部材１６の反対側の端からバネ２３までの距離Ａは、ゴム部材１６に近いサーミスタ１８ほど長くなっているが、特にその形態には限られない。サーミスタ１８におけるゴム部材１６の反対側の端からバネ２３までの距離Ａが、サーミスタ１８が載置された二次電池５Ａ，５Ｂが各二次電池５の膨張によってゴム部材１６側に移動する量よりも長くなっていれば、全てのサーミスタ１８について当該距離Ａが一定であってもよい。
【００５０】
また、上記実施形態では、二次電池５の膨張を吸収するゴム部材１６が一方のエンドプレート４と電池ユニット群３との間に配置されているが、二次電池５の膨張を吸収する膨張吸収部としては、特にゴム部材１６には限られない。例えば膨張吸収部として、バネ等といったゴム以外の弾性体を用いてもよい。
【００５１】
また、エンドプレート４に形成される孔部４ａの形状を断面長穴状とすることで、図示しない壁に対してエンドプレート４が二次電池５の配列方向に移動可能な構成としてもよい。この場合にも、二次電池５の膨張が吸収されるため、孔部４ａと当該孔部４ａを通る図示しない取付用ボルトとが膨張吸収部を構成することになる。
【００５２】
さらに、上記実施形態では、バスバーカバー２１の下面に突起２２が設けられ、サーミスタ１８を二次電池５に対して押さえるバネ２３が突起２２を取り囲むようにバスバーカバー２１に組み付けられるが、特にその形態には限られない。例えば、バスバーカバー２１の下面に凹部を設け、その凹部にバネ２３の一端部を嵌めてもよい。
【００５３】
また、サーミスタ１８を二次電池５に対して押さえる押さえ部としては、特にバネ２３には限られず、ゴム等といった他の弾性体を用いてもよい。
【００５４】
また、上記実施形態では、少なくとも２つの二次電池５の上面にサーミスタ１８が載置されているが、電池モジュール１に備えられるサーミスタ１８の数としては、１つであってもよい。このとき、例えば温度が高くなりやすい電池ユニット群３の中央付近に位置する少なくとも１つの二次電池５の上面にサーミスタ１８を載置してもよい。
【００５５】
さらに、上記実施形態では、蓄電装置ユニットの蓄電装置がリチウムイオン二次電池等の二次電池５であるが、本発明は、特にそのような二次電池５には限られず、例えば電気二重層キャパシタまたはリチウムイオンキャパシタ等の蓄電装置を備えた蓄電装置モジュールにも適用可能である。
【符号の説明】
【００５６】
１…電池モジュール（蓄電装置モジュール）、４…エンドプレート（拘束部材）、５，５Ａ，５Ｂ…二次電池（蓄電装置）、５Ｇ…二次電池群（蓄電装置群）、１６…ゴム部材（膨張吸収部）、１８…サーミスタ（温度センサ）、２１…バスバーカバー、２２…突起、２２ｂ…張出部、２３…バネ（押さえ部）。
【図１】
0006464731.tif 000002
【図２】
0006464731.tif 000003
【図３】
0006464731.tif 000004
【図４】
0006464731.tif 000005
【図５】
0006464731.tif 000006
【図６】
0006464731.tif 000007
【図７】
0006464731.tif 000008
【図８】
0006464731.tif 000009
【図９】
0006464731.tif 000010